(57)【特許請求の範囲】
【請求項１】
通信システムの制御情報処理方法であって、
該方法は、無線網制御局（ＲＮＣ）によって、高速ダウンリンクパケットアクセス（ＨＳＤＰＡ）をサポートする基地局（ノードＢ）に電力オフセット（ＰＯ）値を提供することを含み、
該ＰＯ値は、第２の高速共有チャンネルに関連した第１の高速共有チャンネルのためのものであり、該提供することは、該基地局と該ＲＮＣとの間のインターフェースを介して実行され、
該第１の高速共有チャンネルは、高速共有制御チャンネル（ＨＳ−ＳＣＣＨ）であり、該第２の高速共有チャンネルは、高速ダウンリンク共有チャンネル（ＨＳ−ＤＳＣＨ）であり、
該第１の高速共有チャンネルは、該第２の高速共有チャンネルの制御チャンネルであり、
該ＨＳ−ＳＣＣＨの送信電力は、ダウンリンク専用物理チャンネル（ＤＬ  ＤＰＣＨ）に対する該ＰＯ値によって決定され、
該ＨＳ−ＳＣＣＨは、２ｍｓのサブフレームを有し、
該インターフェースは、該ＲＮＣと該基地局との間のＩｕｂインターフェースであって、該ＰＯ値を提供するために用いられるＩｕｂインターフェースであり、
該ＤＬ  ＤＰＣＨは、少なくとも１つのフィールドを含み、該ＨＳ−ＳＣＣＨの送信電力は、該少なくとも１つのフィールドの情報によって決定される、方法。
【請求項２】
前記ＤＬ  ＤＰＣＨの前記少なくとも１つのフィールドは、データフィールドと、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールドと、ＴＰＣ（Ｔｒａｎｓｍｉｔ  Ｐｏｗｅｒ  Ｃｏｎｔｒｏｌ）フィールドと、パイロットフィールドとのうちの少なくとも１つを含む、請求項１に記載の方法。
【請求項３】
使用者機器（ＵＥ）がソフトハンドオーバー状態にあるか否かに応じて、異なる電力オフセットが適用される、請求項１に記載の方法。
【請求項４】
前記第１の高速共有チャンネルを送信するセルが使用者機器（ＵＥ）についてプライマリーセルであるか否かに応じて、異なる電力オフセットが適用される、請求項１に記載の方法。
【請求項５】
前記ＰＯ値は、
使用者機器（ＵＥ）がソフトハンドオーバー状態にない場合のための第１の電力オフセット値と、
該ＵＥがソフトハンドオーバー状態にあり、セルがプライマリーである場合のための第２の電力オフセット値と、
該ＵＥがソフトハンドオーバー状態にあり、該セルが非プライマリーである場合のための第３の電力オフセット値と
を含む、請求項１に記載の方法。
【請求項６】
前記ＤＬ  ＤＰＣＨの前記少なくとも１つのフィールドは、パイロットフィールドである、請求項１に記載の方法。
【請求項７】
通信システムの制御情報処理方法であって、
該方法は、基地局（ノードＢ）によって、高速ダウンリンクパケットアクセス（ＨＳＤＰＡ）をサポートする無線網制御局（ＲＮＣ）から電力オフセット（ＰＯ）値を受信することを含み、
該ＰＯ値は、第２の高速共有チャンネルに関連した第１の高速共有チャンネルのためのものであり、該受信することは、該基地局と該ＲＮＣとの間のインターフェースを介して実行され、
該第１の高速共有チャンネルは、高速共有制御チャンネル（ＨＳ−ＳＣＣＨ）であり、該第２の高速共有チャンネルは、高速ダウンリンク共有チャンネル（ＨＳ−ＤＳＣＨ）であり、
該第１の高速共有チャンネルは、該第２の高速共有チャンネルの制御チャンネルであり、
該ＨＳ−ＳＣＣＨの送信電力は、ダウンリンク専用物理チャンネル（ＤＬ  ＤＰＣＨ）に対する該受信されたＰＯ値によって決定され、
該ＨＳ−ＳＣＣＨは、２ｍｓのサブフレームを有し、
該インターフェースは、該ＲＮＣと該基地局との間のＩｕｂインターフェースであって、該ＰＯ値を提供するために用いられるＩｕｂインターフェースであり、
該ＤＬ  ＤＰＣＨは、少なくとも１つのフィールドを含み、該ＨＳ−ＳＣＣＨの送信電力は、該少なくとも１つのフィールドの情報によって決定される、方法。
【請求項８】
前記ＤＬ  ＤＰＣＨの前記少なくとも１つのフィールドは、データフィールドと、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールドと、ＴＰＣ（Ｔｒａｎｓｍｉｔ  Ｐｏｗｅｒ  Ｃｏｎｔｒｏｌ）フィールドと、パイロットフィールドとのうちの少なくとも１つを含む、請求項７に記載の方法。
【請求項９】
使用者機器（ＵＥ）がソフトハンドオーバー状態にあるか否かに応じて、異なる電力オフセットが適用される、請求項７に記載の方法。
【請求項１０】
前記第１の高速共有チャンネルを送信するセルが使用者機器（ＵＥ）についてプライマリーセルであるか否かに応じて、異なる電力オフセットが適用される、請求項７に記載の方法。
【請求項１１】
前記ＰＯ値は、
使用者機器（ＵＥ）がソフトハンドオーバー状態にない場合のための第１の電力オフセット値と、
該ＵＥがソフトハンドオーバー状態にあり、セルがプライマリーである場合のための第２の電力オフセット値と、
該ＵＥがソフトハンドオーバー状態にあり、該セルが非プライマリーである場合のための第３の電力オフセット値と
を含む、請求項７に記載の方法。
【請求項１２】
前記ＤＬ  ＤＰＣＨの前記少なくとも１つのフィールドは、パイロットフィールドである、請求項７に記載の方法。
【請求項１３】
使用者機器（ＵＥ）によって高速チャンネルを受信する方法であって、
該方法は、
ＨＳＤＰＡシステムのノードＢによってＨＳ−ＳＣＣＨを介して送信された制御情報を受信することと、
該受信された制御情報を用いて、該ノードＢによってＨＳ−ＤＳＣＨを介して送信された使用者データを受信することと
を含み、
該ＨＳ−ＳＣＣＨの電力オフセット（ＰＯ）値は、該ノードＢと無線網制御局（ＲＮＣ）との間のインターフェースを介して該ＲＮＣから受信され、
該ＨＳ−ＳＣＣＨの送信電力は、ダウンリンク専用物理チャンネル（ＤＬ  ＤＰＣＨ）に対する該受信されたＰＯ値によって決定され、
該ＨＳ−ＳＣＣＨは、２ｍｓのサブフレームを有し、
該インターフェースは、該ＲＮＣと該基地局との間のＩｕｂインターフェースであって、該ＰＯ値を提供するために用いられるＩｕｂインターフェースであり、
該ＤＬ  ＤＰＣＨは、少なくとも１つのフィールドを含み、該ＨＳ−ＳＣＣＨの送信電力は、該少なくとも１つのフィールドの情報によって決定される、方法。
【請求項１４】
前記ＤＬ  ＤＰＣＨの前記少なくとも１つのフィールドは、データフィールドと、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールドと、ＴＰＣ（Ｔｒａｎｓｍｉｔ  Ｐｏｗｅｒ  Ｃｏｎｔｒｏｌ）フィールドと、パイロットフィールドとのうちの少なくとも１つを含む、請求項１３に記載の方法。
【発明の詳細な説明】
【０００１】
【発明の属する技術分野】
本発明は、３ＧＰＰ（第３世代共同プロジェクト；Ｔｈｉｒｄ  ｇｅｎｅｒａｔｉｏｎ  ｐａｒｔｎｅｒｓｈｉｐ  ｐｒｏｊｅｃｔ）  ＵＭＴＳ（汎用移動体通信システム；Ｕｎｉｖｅｒｓａｌ  ｍｏｂｉｌｅ  ｔｅｌｅｃｏｍｍｕｎｉｃａｔｉｏｎ  ｓｙｓｔｅｍ）に係るもので、詳しくは、高速ダウンリンクパケットアクセス（Ｈｉｇｈ  ｓｐｅｅｄ  ｄｏｗｎｌｉｎｋ  ｐａｃｋｅｔ  ａｃｃｅｓｓ；以下、ＨＳＤＰＡと略称す）技術を適用したシステムで高速共有制御チャンネル（Ｈｉｇｈ  ｓｐｅｅｄ  ｓｈａｒｅｄ  ｃｏｎｔｒｏｌ  ｃｈａｎｎｅｌ；以下、ＨＳ−ＳＣＣＨと略称す）の送信電力を制御するための方法に関するものである。
【０００２】
【従来の技術】
一般に、３ＧＰＰの標準システムは、高速のパケットデータサービスを支援するために新しいＨＳ−ＤＳＣＨ（高速ダウンリンク共有チャンネル；Ｈｉｇｈ  ｓｐｅｅｄ  ｄｏｗｎｌｉｎｋ  ｓｈａｒｅｄ  ｃｈａｎｎｅｌ）を提案している。該ＨＳ−ＤＳＣＨは、３ＧＰＰの規格のうちＨＳＤＰＡ（高速ダウンリンクパケットアクセス；Ｈｉｇｈ  ｓｐｅｅｄ  ｄｏｗｎｌｉｎｋ  ｐａｃｋｅｔ  ａｃｃｅｓｓ）を規定するＲｅｌｅａｓｅ５に従うＵＭＴＳで使用される。
【０００３】
前記ＨＳ−ＤＳＣＨは、従来３ＧＰＰの規格であるＲｅｌｅａｓｅ９９／Ｒｅｌｅａｓｅ４に従うＷ−ＣＤＭＡシステムとは異なり、短い送信時間間隔（Ｔｒａｎｓｍｉｓｓｉｏｎ  ｔｉｍｅ  ｉｎｔｅｒｖａｌ；ＴＴＩ）（３スロット、２ｍｓ）を使用し、高いデータレートを支援するために多様なＭＣＳ（変調コードセット；Ｍｏｄｕｌａｔｉｏｎ  ｃｏｄｅ  ｓｅｔ）を支援する。
【０００４】
従って、無線チャンネル状況に最も適合したＭＣＳを選択することで最適のデータ送信性能を向上し得るが、このためには、自動反復要求（Ａｕｔｏｍａｔｉｃ  ｒｅｐｅａｔ  ｒｅｑｕｅｓｔ；以下、ＡＲＱと略称す）技術及びチャンネルコーディング技術を結合したハイブリッドＡＲＱ（Ｈｙｂｒｉｄ  ＡＲＱ；以下、ＨＡＲＱと略称す）技術が採択される。また、前記ＨＳ−ＤＳＣＨは、コード分割多重化（Ｃｏｄｅ  ｄｉｖｉｓｉｏｎ  ｍｕｌｔｉｐｌｅｘｉｎｇ；ＣＤＭ）を通して４人の使用者まで同時に高速のパケットデータサービスを支援し得るように提案された。
【０００５】
ＨＳＤＰＡ技術で新しく提案されたＨＳ−ＤＳＣＨは、２ｍｓのサブフレーム毎にそれぞれ異なる使用者に高速の使用者データを送信するように考案された。従って、端末がＨＳ−ＤＳＣＨを通して使用者データを受信するためには、ＨＳ−ＳＣＣＨ（ＨＳ−ＤＳＣＨの共有制御チャンネル；Ｓｈａｒｅｄ  ｃｏｎｔｒｏｌ  ｃｈａｎｎｅｌ  ｆｏｒ  ＨＳ−ＤＳＣＨ）と専用物理チャンネル（Ｄｅｄｉｃａｔｅｄ  ｐｈｙｓｉｃａｌ  ｃｈａｎｎｅｌ；以下、ＤＰＣＨと略称す）が構成されるべきである。
【０００６】
物理チャンネルであるＨＳ−ＳＣＣＨは、ＨＳＤＰＡ技術を支援するためのダウンリンク共通制御チャンネルの一種である。前記チャンネルを使用して、ＵＥ（使用者機器；ｕｓｅｒ  ｅｑｕｉｐｍｅｎｔ）  ＩＤ（ｉｄｅｎｔｉｆｉｃａｔｉｏｎ）及び制御情報を送信し、その結果、端末は高速の使用者データを送信するＨＳ−ＤＳＣＨを通して使用者データを受信し得る。端末は、ＨＳ−ＳＣＣＨを通して送信されるＵＥ  ＩＤをモニタリングして、受信するデータがあるか否かを把握した後、ＨＳ−ＳＣＣＨを通して送信される制御情報を利用して、ＨＳ−ＤＳＣＨを通して送信される使用者データを受信する。この時、ＵＥ  ＩＤ及び制御情報はＨＳ−ＳＣＣＨのサブフレーム（２ｍｓ）毎に送信される。そして、前記ＨＳ−ＳＣＣＨを通して送信される制御情報は、ＨＳ−ＤＳＣＨを通して送信するセルの属するノード  Ｂ（基地局）によって生成される。
【０００７】
図４はＨＳ−ＳＣＣＨを通して送信される制御情報のサブフレーム構造である。
【０００８】
図示されたように、前記制御情報はＴＦＲＩ（輸送フォーマット／リソース関連情報；Ｔｒａｎｓｐｏｒｔ  ｆｏｒｍａｔ  ａｎｄ  ｒｅｓｏｕｒｃｅ  ｒｅｌａｔｅｄ  ｉｎｆｏｒｍａｔｉｏｎ）とＨＡＲＱ関連情報とに大別される。ＴＦＲＩにはＨＳ−ＤＳＣＨの輸送チャンネルの設定サイズ、変調方法、コーディングレート、マルチコードの数に関する情報が含まれて、ＨＡＲＱ関連情報にはブロックナンバー、冗長度バージョンのような情報が含まれる。その他にも、使用者情報を表すＵＥ  ＩＤ情報が送信される。
【０００９】
図６はＨＳ−ＳＣＣＨ及びＨＳ−ＤＳＣＨの送信タイミングを示した図である。
【００１０】
図示されたように、ＨＳ−ＳＣＣＨを通してＵＥ  ＩＤ及び制御情報が送信された後、ＨＳ−ＤＳＣＨを通してデータが送信される。
【００１１】
上述したように、ＨＳ−ＳＣＣＨは一つのセルに一つ以上設定される。特に、セルでＨＳＤＰＡを支援する端末が多い場合は、一つのセルに複数のＨＳ−ＳＣＣＨチャンネルが設定されると効率的にデータサービスを提供することができる。
【００１２】
従来技術における共通制御チャンネルは、セル境界で受信し得る程度の高い電力で送信される。
【００１３】
【発明が解決しようとする課題】
然るに、従来技術においては、ＨＳ−ＳＣＣＨが高い電力で送信される場合にセル間干渉が増加され、基地局電力の大部分がＨＳ−ＳＣＣＨの送信に割り当てられることとなり、基地局の電力が浪費されるという不都合な点があった。
【００１４】
本発明は、このような従来の課題に鑑みてなされたもので、ＨＳ−ＳＣＣＨの電力を制御し得るＨＳ−ＳＣＣＨの送信電力制御方法を提供することを目的とする。
【００１５】
且つ、端末毎に構成されるダウンリンクＤＰＣＨチャンネルを利用して、ＨＳ−ＳＣＣＨの電力を調節し得るＨＳ−ＳＣＣＨの送信電力制御方法を提供することを目的とする。  且つ、ＨＳ−ＳＣＣＨの各サブフレームを各端末に合わせた電力で送信することで、セル間干渉を減らし、基地局の電力を効果的に使用し得るＨＳ−ＳＣＣＨの送信電力制御方法を提供することを目的とする。
【００１６】
【課題を解決するための手段】
本発明により、使用者に割り当てられたチャンネルの送信電力を決定する過程と、前記送信電力を利用して、複数の使用者によって共有されるチャンネルの制御チャンネルに対する各タイムスロットの送信電力を決定する過程と、前記決定された電力で前記制御チャンネルを通して信号を送信する過程とを順次行い、それにより上記目的が達成される。
【００１７】
前記制御チャンネルはＨＳ−ＳＣＣＨであって、前記複数の使用者によって共有されるチャンネルはＨＳ−ＤＳＣＨであって、前記使用者に割り当てられたチャンネルはＤＬ  ＤＰＣＨであることを特徴としてもよい。
【００１８】
前記タイムスロットを占有する使用者のＵＥがソフトハンドオーバー状態であるか否かに応じて、相互に異なる電力オフセット値が前記タイムスロットの送信電力に適用されることを特徴としてもよい。
【００１９】
前記タイムスロットを占有する使用者のＵＥに前記制御チャンネルを送信するセルがプライマリーセルであるか否かに応じて、相互に異なる電力オフセット値が前記タイムスロットの送信電力に適用されることを特徴としてもよい。
【００２０】
前記電力オフセット値は、ＵＥがソフトハンドオーバー状態である時のための第１電力オフセット値と、ＵＥがソフトハンドオーバー状態で、基地局セルがプライマリーである時のための第２電力オフセット値と、ＵＥがソフトハンドオーバー状態で、基地局セルが非プライマリーである時のための第３電力オフセット値とによって構成されることを特徴としてもよい。
【００２１】
本発明により、移動局から電力制御命令を受信する過程と、受信された電力制御命令に基づいてＤＬ  ＤＰＣＨの送信電力を設定する過程と、前記ＤＬ  ＤＰＣＨの送信電力に対する相対的な電力オフセット値を利用して、各移動局に送信されるＨＳ−ＳＣＣＨの送信電力を決定する過程とを順次行い、それにより上記目的が達成される。
【００２２】
前記ＨＳ−ＳＣＣＨの各サブフレームの送信電力は、ＤＬ  ＤＰＣＨの各フィールドに対する電力オフセット値で決定されることを特徴としてもよい。
【００２３】
前記電力オフセット値は、ＤＬ  ＰＤＣＨの各フィールド中、パイロットフィールドに対する電力オフセット値で決定されることを特徴としてもよい。
【００２４】
前記ＨＳ−ＳＣＣＨサブフレームの各スロットの送信電力は、ＤＬ  ＤＰＣＨで対応されるスロットの送信電力に対する電力オフセット値で決定されることを特徴としてもよい。
【００２５】
前記ＨＳ−ＳＣＣＨの送信電力は、ＤＬ  ＤＰＣＨのソフトハンドオーバー状態に応じて、相互に異なる電力オフセット値を使用して決定されることを特徴としてもよい。
【００２６】
前記電力オフセット値は、ＵＥがソフトハンドオーバー状態でない時のための第１電力オフセット値と、ＵＥがソフトハンドオーバー状態で、基地局セルがプライマリーである時のための第２電力オフセット値と、ＵＥがソフトハンドオーバー状態で、基地局セルが非プライマリーである時のための第３電力オフセット値で構成されることを特徴としてもよい。
【００２７】
前記ＨＳ−ＳＣＣＨの送信電力は、ＤＬ  ＤＰＣＨのデータフィールド、ＴＦＣＩフィールド、ＴＰＣフィールド、及びパイロットフィールド中何れか一つのフィールド電力に対する相対的な電力オフセット値で決定されることを特徴としてもよい。
【００２８】
本発明により、基地局がＨＳ−ＳＣＣＨを通して送信する制御情報を利用して、端末がＨＳ−ＤＳＣＨを通して送信された使用者データを受信するＵＭＴＳシステムのＨＳＤＰＡサービスにおいて、端末毎に構成されるＤＬ  ＤＰＣＨの電力制御を利用して、前記ＨＳ−ＳＣＣＨの送信電力をそれぞれの移動局に合わせて制御し、それにより上記目的が達成される。
【００２９】
前記ＨＳ−ＳＣＣＨの送信電力は、ＤＬ  ＤＰＣＨの送信電力に対する相対的な電力オフセットで決定されることを特徴としてもよい。
【００３０】
前記ＨＳ−ＳＣＣＨにおける各サブフレームの送信電力は、ＤＬ  ＤＰＣＨのフィールドに対する相対的な電力オフセット値で決定されることを特徴としてもよい。
【００３１】
前記ＨＳ−ＳＣＣＨの送信電力は、ＵＥがソフトハンドオーバー状態であるか否かに応じて、相互に異なる電力オフセット値を使用して設定されることを特徴としてもよい。
【００３２】
前記ＨＳ−ＳＣＣＨの送信電力は、ＵＥがソフトハンドオーバー状態であるか否か、及び現在ＨＳ−ＳＣＣＨを通して送信している基地局セルがプライマリーであるか否かに応じて、相互に異なる電力オフセット値を使用して設定されることを特徴としてもよい。
【００３３】
前記電力オフセット値は、ＵＥがソフトハンドオーバー状態でない時のための第１電力オフセット値と、ＵＥがソフトハンドオーバー状態で、基地局セルがプライマリーである時のための第２電力オフセット値と、ＵＥがソフトハンドオーバー状態で、基地局セルが非プライマリーである時のための第３電力オフセット値で構成されることを特徴としてもよい。
【００３４】
前記ＨＳ−ＳＣＣＨの送信電力は、ＤＬ  ＤＰＣＨのデータフィールド、ＴＦＣＩフィールド、ＴＰＣフィールド、及びパイロットフィールド中何れか一つのフィールド電力に対する相対的な電力オフセット値で決定されることを特徴としてもよい。
【００３５】
このような目的を達成するため、本発明に係るＨＳ−ＳＣＣＨの送信電力制御方法においては、移動局から電力制御命令（ｔｒａｎｓｍｉｔ  ｐｏｗｅｒ  ｃｏｎｔｒｏｌ  ｃｏｍｍａｎｄ；ＴＰＣ  ｃｏｍｍａｎｄ）を受信する過程と、受信された電力制御命令ダウンリンクＤＰＣＨ（以下、ＤＬ  ＤＰＣＨと略称す）の送信電力を設定する過程と、前記ＤＬ  ＤＰＣＨの送信電力に対する相対的な電力オフセット値を利用して、各移動局に送信されるＨＳ−ＳＣＣＨの送信電力を決定する過程とを包含する。
【００３６】
前記ＨＳ−ＳＣＣＨの各サブフレームの送信電力はＤＬ  ＤＰＣＨの各フィールド電力に対する相対的なオフセット値で決定される。また、前記ＨＳ−ＳＣＣＨサブフレームの各スロットの送信電力は、ＤＬ  ＤＰＣＨで対応されるスロットの送信電力に対する電力オフセット値で決定されることを特徴とする。
【００３７】
前記ＨＳ−ＳＣＣＨの送信電力は、ＵＥがソフトハンドオーバー状態（ｓｏｆｔ  ｈａｎｄｏｖｅｒ）状態であるか否かに応じて、相互に異なる電力オフセット値を使用して決定されることを特徴とする。
【００３８】
前記ＨＳ−ＳＣＣＨの送信電力は、ＵＥがソフトハンドオーバー状態であるか否か、及びＨＳ−ＳＣＣＨを通して送信している基地局セルがプライマリーであるか否かに応じて、相互に異なる電力オフセット値を使用して決定されることを特徴とする。
【００３９】
前記ＨＳ−ＳＣＣＨの送信電力は、ＤＬ  ＤＰＣＨのデータフィールド、ＴＦＣＩフィールド、ＴＰＣフィールド、及びパイロットフィールド中何れか一つのフィールド電力の相対的な電力オフセット値で決定されることを特徴とする。
【００４０】
且つ、本発明に係るＨＳ−ＳＣＣＨの送信電力制御方法においては、基地局が送信するＨＳ−ＳＣＣＨを通して送信された制御情報を利用して、端末がＨＳ−ＤＳＣＨを通して送信された使用者データを受信するＵＭＴＳシステムのＨＳＤＰＡサービスにおいて、端末毎に構成されたＤＬ  ＤＰＣＨの電力制御に基づいて、前記ＨＳ−ＳＣＣＨの送信電力を各移動局に合わせて調節することを特徴とする。
【００４１】
前記ＨＳ−ＳＣＣＨの送信電力は、特定の端末のＤＬ  ＤＰＣＨの送信電力に対する相対的な電力オフセットで決定され、ＨＳ−ＳＣＣＨの各サブフレームの送信電力はＤＬ  ＤＰＣＨの各フィールド電力に対する電力オフセット値で決定されることを特徴とする。
【００４２】
前記電力オフセット値は、無線網制御局（Ｒａｄｉｏ  ｎｅｔｗｏｒｋ  ｃｏｎｔｒｏｌｌｅｒ；ＲＮＣ）から基地局に伝達され、基地局は受信された電力オフセット値を利用してＨＳ−ＳＣＣＨの送信電力を決定することを特徴とする。
【００４３】
前記ＨＳ−ＳＣＣＨの送信電力は、該当するＵＥのＤＬ  ＤＰＣＨがソフトハンドオーバー状態であるか否かに応じて、相互に異なる電力オフセット値を使用して設定されることを特徴とする。
【００４４】
前記ＨＳ−ＳＣＣＨの送信電力は、ＵＥがソフトハンドオーバー状態であるか否か、及び現在ＨＳ−ＳＣＣＨを通して送信している基地局セルがプライマリーであるか否かに応じて、相互に異なる電力オフセット値を使用して設定されることを特徴とする。
【００４５】
前記電力オフセット値は、ＵＥがソフトハンドオーバー状態でない時のための第１電力オフセット値と、
ＵＥがソフトハンドオーバー状態で、基地局セルがプライマリーである時のための第２電力オフセット値と、
ＵＥがソフトハンドオーバー状態で、基地局セルが非プライマリーである時のための第３電力オフセット値で構成されることを特徴とする。
【００４６】
前記ＨＳ−ＳＣＣＨの送信電力は、ＤＬ  ＤＰＣＨのデータフィールド、ＴＦＣＩフィールド、ＴＰＣフィールド、及びパオロットフィールド中何れか一つのフィールドの電力オフセット値で決定されることを特徴とする。
【００４７】
前記電力オフセット値は、ＵＥがソフトハンドオーバー状態でない時のための第１電力オフセット値と、
ＵＥがソフトハンドオーバー状態で、基地局セルがプライマリーである時のための第２電力オフセット値と、
ＵＥがソフトハンドオーバー状態で、基地局セルが非プライマリーである時のための第３電力オフセット値で構成されることを特徴とする。
【００４８】
【発明の実施の形態】
以下、本発明の実施の形態に対し、図面を用いて説明する。
【００４９】
一般に、ＨＳ−ＳＣＣＨは複数のサブフレーム（Ｔｆｒａｍｅ＝２ｍｓ）に分けられ、各サブフレームは特定のＵＥのみに該当される制御情報を送信する。このような特性を利用して、本発明は、図１に示されたように、一般的な共通制御チャンネルと異なり、ＨＳ−ＳＣＣＨの各サブフレームを各ＵＥ（ＵＥ＃１−ＵＥ＃４）に適合した電力で送信する。
【００５０】
このために、本発明は、各端末のためのＤＰＣＨの電力制御を利用して前記ＨＳ−ＳＣＣＨの電力制御を遂行する。即ち、ダウンリンク（ＤＬ）及びアップリンクのＤＰＣＨの電力制御によってＨＳ−ＳＣＣＨの送信電力を調節することができる。より詳しくは、ＨＳ−ＳＣＣＨの送信電力がＤＬ  ＤＰＣＨの送信電力に対して相対的な電力オフセットによって操作されるように構成される。
【００５１】
ＤＬ  ＤＰＣＨは、データフィールド、ＴＦＣＩフィールド、ＴＰＣフィールド、及びパイロットフィールドから構成される。従って、ＨＳ−ＳＣＣＨにおける特定のサブフレームのスロットの送信電力は、前記フィールド中何れか一つの送信電力に対する電力オフセットで決定される。
【００５２】
図２は本発明に係るＤＬ  ＤＰＣＨに対するＨＳ−ＳＣＣＨの送信電力設定方法の第１実施形態を示した図である。
【００５３】
図示されたように、ＨＳ−ＳＣＣＨの何れかのサブフレームに属する三つのスロットの送信電力は、ＤＬ  ＤＰＣＨの対応される各スロットの送信電力に対する電力オフセット値で決定される。ＤＬ  ＤＰＣＨは、ＵＥから送信される電力制御命令によって、一つのスロット毎に送信電力を変化させるため、結果的にＨＳ−ＳＣＣＨの各スロットの送信電力も各ＵＥに適合した送信電力に変化される。従って、ＨＳ−ＳＣＣＨの送信電力は、ＵＥからＤＬ  ＤＰＣＨの電力制御のために送信される電力制御命令（ＴＰＣ  ｃｏｍｍａｎｄ）によって制御されるといえる。
【００５４】
図３は無線網制御局（ＲＮＣ）内の基地局（ノード  Ｂ）間のソフトハンドオーバー状態である時のための無線接続ネットワークの構造を示した図である。
【００５５】
図示されたように、核心網（Ｃｏｒｅ  Ｎｅｔｗｏｒｋ）下部のＵＭＴＳ無線接続網に存在する無線網制御局（ＲＮＣ）は、無線網サブシステム（ＲａｄｉｏＮｅｔｗｏｒｋ  Ｓｕｂｓｙｓｔｅｍ；ＲＮＳ）内で各移動局（ＵＥ）に割り当てられた専用無線資源を管理する。
【００５６】
移動局（ＵＥ）が無線網制御局（ＲＮＣ）内の第１基地局（ノード  Ｂ１）から第２基地局（ノード  Ｂ２）に移動する場合、第１、第２基地局はＵＥから受信された信号をそれぞれ復調した後、その復調されたＤＰＣＨフレームを無線網制御局（ＲＮＣ）に送信し、無線網制御局（ＲＮＣ）は受信したフレームのうち最上のフレームを選択する。このように、移動局は移動中同時に二つの基地局と通信し、ＤＰＣＨチャンネルを持続的に維持することができる。
【００５７】
図３に示されたように、無線接続ネットワークの構造で、ＤＬ  ＤＰＣＨは相互に異なる二つのセルを通して送信され、ＨＳ−ＳＣＣＨは二つのセル中第１基地局（ノード  Ｂ１）に属するセルのみから送信されている。このように、ソフトハンドオーバー状態が発生される場合はＨＳ−ＳＣＣＨに対する更なる考慮が必要となる。
【００５８】
即ち、ＵＥのＤＰＣＨが、図３に示されたように、ソフトハンドオーバー状態である場合、各関連したＤＬ  ＤＰＣＨの電力制御はＵＥにおける結合（ｃｏｍｂｉｎｉｎｇ）を考慮して実行される。ところが、前記ＤＬ  ＤＰＣＨのソフトハンドオーバー状態の時、ＨＳ−ＳＣＣＨはソフトハンドオーバー状態でないため、ＨＳ−ＳＣＣＨの送信電力設定の時に前記状況に対する考慮が必要となる。
【００５９】
従って、ＤＬ  ＤＰＣＨのソフトハンドオーバー状態の時に起こり得るＨＳ−ＳＣＣＨの誤り率の増加を防止するために、ＨＳ−ＳＣＣＨの送信電力を適切に高める必要がある。
【００６０】
以下、ＤＬ  ＤＰＣＨのソフトハンドオーバー状態の時のためのＨＳ−ＳＣＣＨに対する送信電力制御方法に対して説明する。
【００６１】
本発明は、ＨＳ−ＳＣＣＨの電力オフセットを設定する時、ＤＬ  ＤＰＣＨのソフトハンドオーバー状態に応じて相互に異なる電力オフセット値を使用する。
【００６２】
このために、無線網制御局（ＲＮＣ）はＩｕｂ（無線網制御局と基地局間のインターフェース）を通してソフトハンドオーバー状態でない時のための電力オフセット値（ＰＯｓｈｃｃｈ＿ｎｏｒｍａｌ）と、ソフトハンドオーバー状態である時のための電力オフセット値（ＰＯｓｈｃｃｈ＿ｓｈｏ）をノード  Ｂ（図３のノード  Ｂ１）に伝達しなければならない。
【００６３】
次いで、該当ノード  Ｂは、ＤＬ  ＤＰＣＨのソフトハンドオーバー状態に応じて、前記二つの電力オフセット値中何れか一つを使用してＨＳ−ＳＣＣＨの送信電力を決定する。
【００６４】
一般に、３ＧＰＰ  ＷＣＤＭＡにおいては、ソフトハンドオーバー状態である時、複数のセルから送信されるＤＰＣＨによる干渉発生を最小化させるためにＳＳＤＴ（サイト選択ダイバーシティ送信；Ｓｉｔｅ  Ｓｅｌｅｃｔｉｏｎ  Ｄｉｖｅｒｓｉｔｙ  Ｔｒａｎｓｍｉｔ）技術を利用する。
【００６５】
ＳＳＤＴ技術では、ソフトハンドオーバー状態である時、ＵＥはアクティブセル中共通パイロットチャンネル（Ｃｏｍｍｏｎ  Ｐｉｌｏｔ  Ｃｈａｎｎｅｌ；以下、ＣＰＩＣＨと略称す）の受信信号電力コード（Ｒｅｃｅｉｖｅｄ  Ｓｉｇｎａｌ  Ｐｏｗｅｒ  Ｃｏｄｅ；以下、ＲＳＣＰと略称す）値が最も高いセルをプライマリーセルとして選択し、その他のアクティブセルを非プライマリーセルと指定した後、各アクティブセルにプライマリーセルのＩＤを送信する。
【００６６】
次いで、プライマリーセルはＤＰＣＨデータを送信し、各非プライマリーセルはＤＰＣＨデータの送信を一時的に中止する。ＵＥはＣＰＩＣＨのＲＳＣＰを周期的に測定し、周期的にプライマリーセルのＳＳＤＴ  ＩＤを全てのアクティブセルに送信する。この時、ＵＥはプライマリーセルのＩＤをＤＰＣＨのフィードバック情報（Ｆｅｅｄｂａｃｋ  Ｉｎｆｏｒｍａｔｉｏｎ；以下、ＦＢＩと略称す）フィールドを通して送信する。
【００６７】
従って、本発明は、ＳＳＤＴ方式を活用して、ＤＰＣＨのソフトハンドオーバー状態であるかどうか、及びＨＳ−ＳＣＣＨを通して送信するセルがプライマリーであるか、或いは非プライマリーであるかどうかを考慮する。この方式は、ＤＰＣＨがＳＳＤＴで動作するか否かとは関係なく、ただ、ＳＳＤＴで使用されるＦＢＩフィールドを通したアップリンク信号法のみを利用する。
【００６８】
このために、無線網制御局（ＲＮＣ）はソフトハンドオーバー状態でない時のための電力オフセット値（ＰＯｓｈｃｃｈ＿ｎｏｒｍａｌ）、ソフトハンドオーバー状態でプライマリーセルである時のための電力オフセット値（ＰＯｓｈｃｃｈ＿ｐｒｉｍａｒｙ）、及びソフトハンドオーバー状態で非プライマリーセルである時のための電力オフセット値（ＰＯｓｈｃｃｈ＿ｎｏｎｐｒｉｍａｒｙ）をＩｕｂを通して該当ノード  Ｂ（図３のノード  Ｂ１）に伝達しなければならない。
【００６９】
次いで、ＵＥが送信するＳＳＤＴのセルＩＤ受信結果を利用して、該当ノードＢはＤＰＣＨのソフトハンドオーバー状態、及びソフトハンドオーバー状態である時のためのプライマリーセルに応じて、前記三つの電力オフセット値中一つを選択してＨＳ−ＳＣＣＨの送信電力を決定する。
【００７０】
前記したように、ＤＬ  ＤＰＣＨはデータフィールド、ＴＦＣＩフィールド、ＴＰＣフィールド、及びパイロットフィールドで構成され、ＨＳ−ＳＣＣＨの送信電力は前記フィールド中何れか一つのフィールドの送信電力に対する電力オフセットで決定することができた。
【００７１】
そして、本発明は、端末、移動局、及びＵＥなどを混用しているが、これは説明の便宜のためのもので、すべて同じ意味を有している。
【００７２】
【発明の効果】
以上説明したように、本発明においては、端末毎に構成されるＤＰＣＨチャンネルを利用してＨＳ−ＳＣＣＨの電力を調節し得るＨＳ−ＳＣＣＨの送信電力制御方法を提案した。特に、本発明は、各サブフレームの電力を各端末に合わせた電力で送信し、ソフトハンドオーバー状態と、該ソフトハンドオーバー状態である時のためのプライマリーセルを考慮してＨＳ−ＳＣＣＨの送信電力を適切に設定することで、セル間の干渉を減らし、基地局の電力を効果的に使用し得るという効果がある。
【００７３】
そして、本発明は、図面に示された実施形態を参考にして説明されたが、これは例示的なものに過ぎず、当業者によって多様な形態に変更して使用することができる。従って、本発明の意図は特許請求の範囲によって定義されるべきである。
【図面の簡単な説明】
【図１】本発明に係るＨＳ−ＳＣＣＨの電力設定方法を示した図である。
【図２】図１のＤＬ  ＤＰＣＨに対するＨＳ−ＳＣＣＨの相対的な送信電力設定を示した図である。
【図３】無線接続ネットワーク構造のソフトハンドオーバー状態である時のためのＨＳ−ＳＣＣＨの送信電力設定を示した図である。
【図４】ＨＳ−ＳＣＣＨを通して送信される制御情報を示したフレーム構造である。
【図５】制御情報を送信するためのＨＳ−ＳＣＣＨの信号法を示した図である。
【図６】ＨＳ−ＳＣＣＨ及びＨＳ−ＤＳＣＨの送信タイミングを示した図である。
【図１】
0004309117.tif 000002
【図２】
0004309117.tif 000003
【図３】
0004309117.tif 000004
【図４】
0004309117.tif 000005
【図５】
0004309117.tif 000006
【図６】
0004309117.tif 000007